(57)【要約】      （修正有）【課題】走行機体の両後車輪の前側に刈取機構を前記両後車輪の後側に刈り取った芝草を受け入れるキャッチャボックスを配設し、前記刈取機構にて刈り取った芝草を前記キャッチャボックスに導く排出ダクトを備え、更に前記キャッチャボックスを、受入れ口部が前記排出ダストに向かう前向き姿勢と、下向きになる下向き姿勢とに回動可能に構成した走行型芝刈機において、前記キャッチャボックスを装着する構造の簡単化及び軽量化を図る。【解決手段】走行機体１の車体フレーム１ａの後端部をキャッチャボックス１４内に受け入れ口部から挿入して、この後端部にキャッチャボックスを回動自在に枢着する一方、排出ダクトの後端部の部分に門型にした枠部材１８を車体フレームに取付けて設け、この枠部材と排出ダクトとの間に、その間の隙間を塞ぐ板部材を設け、この板部材にキャッチャボックスを前向き姿勢にした時その受け入れ口１４ａの縁枠を接当する。【選択図】図１
2005218304.tif 000002
【特許請求の範囲】
【請求項１】
少なくとも左右一対の後車輪にて支持された走行機体のうち前記両後車輪の前側に、刈取機構を、前記両後車輪の後側に、前記刈取機構にて刈り取った芝草を受け入れるキャッチャーボックスを各々配設する一方、前記両後車輪の間に、前記刈取機構にて刈り取った芝草を前記キャッチャーボックスに導く排出ダクトを配設し、更に、前記キャッチャーボックスを、その受け入れ口部が前記排出ダストの後端口に向かう前向き姿勢と、下向きになる下向き姿勢とに回動可能に構成して成る走行型芝刈機において、
前記走行機体のうちその前後方向に延びる車体フレームの後端部を、前記キャッチャーボックス内に、その受け入れ口部から挿入して、この後端部に、前記キャッチャーボックスを回動自在に枢着する一方、前記排出ダクトの後端部の部分に、当該排出ダクトの左右両側及び上側を囲う門型にした枠部材を、前記車体フレームに取付けて設け、この枠部材と前記排出ダクトとの間に、その間の隙間を塞ぐ板部材を設けて、この板部材に、前記キャッチャーボックスを前向き姿勢にしたときその受け入れ口の縁枠が接当するように構成したことを特徴とする走行型芝刈機。
【請求項２】
前記請求項１の記載において、前記板部材を、前記排出ダクトの後端口から適宜寸法だけ前側に位置したことを特徴とする走行型芝刈機。
【請求項３】
前記請求項１又は２の記載において、前記枠部材及び前記板部材を着脱自在に構成したことを特徴とする走行型芝刈機。
【発明の詳細な説明】
【技術分野】
【０００１】
本発明は、ロータリーモア等の刈取機構を走行機体に装着して、この走行機体を走行しながら芝刈りを行うようにした走行型の芝刈機に関するものである。
【背景技術】
【０００２】
先行技術としての特許文献１には、この走行型芝刈機に関し、左右一対の前車輪及び後車輪に支持された走行機体のうち、前記前車輪と後車輪との間の部位に、ロータリーモア等の刈取機構を装着し、この刈取機構にて刈り取った芝草を、前記走行機体の後部に設けたキャッチャーボックス内に、前記両後車輪の間を後方に延びるように配設した排出ダストを介して導くようにする一方、前記キャッチャーボックスを、当該キャッチャーボックス内への受け入れ口部が前記排出ダストの後端口に向かう位置と、下向きになる位置とに回動可能に設けて成る走行型芝刈機が記載されている。
【特許文献１】特開２０００−５０７１６号公報
【発明の開示】
【発明が解決しようとする課題】
【０００３】
しかし、この先行技術は、前記排出ダストの後端に、当該排出ダクトの周囲を囲うようにした支持枠体を設けて、この支持枠体に、前記キャッチャーボックスを、回動可能に装着していることにより、前記支持枠体を、これに適宜の補強部材を設ける等して、高い剛性を有するものに構成しなければならないから、部品点数が増大するばかりか、重量の大幅なアップ、組み立て手数の増大、大型化を招来するという問題があった。
【０００４】
本発明は、この問題を解消して走行型の芝刈機を提供することを技術的課題とするものである。
【課題を解決するための手段】
【０００５】
この技術的課題を達成するため本発明の請求項１は、
「少なくとも左右一対の後車輪にて支持された走行機体のうち前記両後車輪の前側に、刈取機構を、前記両後車輪の後側に、前記刈取機構にて刈り取った芝草を受け入れるキャッチャーボックスを各々配設する一方、前記両後車輪の間に、前記刈取機構にて刈り取った芝草を前記キャッチャーボックスに導く排出ダクトを配設し、更に、前記キャッチャーボックスを、その受け入れ口部が前記排出ダストの後端口に向かう前向き姿勢と、下向きになる下向き姿勢とに回動可能に構成して成る走行型芝刈機において、
前記走行機体のうちその前後方向に延びる車体フレームの後端部を、前記キャッチャーボックス内に、その受け入れ口部から挿入して、この後端部に、前記キャッチャーボックスを回動自在に枢着する一方、前記排出ダクトの後端部の部分に、当該排出ダクトの左右両側及び上側を囲う門型にした枠部材を、前記車体フレームに取付けて設け、この枠部材と前記排出ダクトとの間に、その間の隙間を塞ぐ板部材を設けて、この板部材に、前記キャッチャーボックスを前向き姿勢にしたときその受け入れ口の縁枠が接当するように構成した。」
ことを特徴としている。
【０００６】
また、本発明の請求項２は、
「前記請求項１の記載において、前記板部材を、前記排出ダクトの後端口から適宜寸法だけ前側に位置する。」
ことを特徴としている。
【０００７】
更にまた、本発明の請求項３は、
「前記請求項１又は２の記載において、前記枠部材及び前記板部材を着脱自在に構成した。」
ことを特徴としている。
【発明の効果】
【０００８】
前記請求項１に記載の構成にすることにより、キャッチャーボックスを、走行機体における車体フレームにて支持することができる一方、前記キャッチャーボックスをその受け入れ口が排出ダクトに向かう前向き姿勢にしたとき当該受け入れ口の縁枠が接当する板部材の周囲は、前記フレームに排出ダクトを囲うように取付けた門型の枠部材にて補強されているから、前記部分における構造を、従来の場合よりも部品点数を少なくし、且つ、所定の剛性を保った状態のもとで、大幅に簡単化できるとともに、軽量化及び小型化できる。
【０００９】
また、請求項２に記載の構成にすることにより、前記板部材に、前記キャッチャーボックスを前向きに姿勢にしてその受け入れ口の縁枠を接当したとき、前記排出ダクトの後端口が適宜寸法だけ前記キャッチャーボックス内に突出することになるから、刈り取った芝草を前記排出ダクトから前記キャッチャーボックス内に導くことが、芝草の外部への漏れだしを阻止した状態で円滑にできる。
【００１０】
更にまた、請求項３に記載の構成にすることにより、組み立て及び分解が容易になり、この組み立て・分解に要する手数を大幅に軽減できる。
【発明を実施するための最良の形態】
【００１１】
以下、本発明の実施の形態を、図１〜図６の図面について説明する。
【００１２】
この図において、符号１は、前後方向に延びる左右一対の車体フレーム１ａにて構成した走行機体を示し、この走行機体１は、左右一対の前車輪２と、同じく左右一対の後車輪３とで支持され、且つ、この走行機体１の前部上面には、エンジン４が搭載されているとともに、前記両前車輪２を同時に回動するように舵取りするための操縦ハンドル５が設けられ、また、前記走行機体１の後部上面には、作業者が座る操縦座席６が設けられている。更にまた、前記走行機体１の上面には、前記両後車輪３の上部を覆うフェンダー７ａと、前記操縦座席の前側の部分にステップ台７ｂとを備えたフロントカウル７が、走行機体１の全体を覆うように設けられ、このフロントカウル７には、前記エンジン４に対するボンネットカバー８が開閉可能に設けられている。
【００１３】
前記両後車輪３は、前記走行機体１における両車体フレーム１ａの外側面に上下方向に延びるように固着したブラケット９の下端に装着されている。
【００１４】
前記走行機体１における下面側で、且つ、前記両前車輪２と両後車輪３との間には、刈取機構としてのロータリーモア１０が、左右一対の前部リンク１１と、後部リンク１２とにより上下動可能に装着され、且つ、前記操縦座席６の右側に配設した昇降操作レバー（図示せず）の回動によって、上下動するように構成されている。
【００１５】
一方、前記走行機体１における両車体フレーム１ａの後部を、後方に向かって斜め上向きに傾斜するように折り曲げて、この下面のうち前記両後車輪３間、正確には、後車輪３が取付く左右一対のブラケット９間の部分に、前記ロータリーモア１０にて刈り取った芝草を後ろ方向に導くようにした排出ダクト１３が、後方に延びるように配設されている。
【００１６】
また、前記走行機体１における車体フレーム１ａのうち前記前記排出ダクト２８の上部で、且つ、前記操縦座席６の下部の部位には、図示していないが、前記エンジン４の回転を適宜変速して前記両後車輪３に伝達するための走行ミッション機構が設けられている。
【００１７】
前記走行機体１における後部には、前記ロータリーモア１０にて刈り取った芝草を受け入れるためのキャッチャーボックス１４が、以下に述べるような構造にして装着されている。
【００１８】
すなわち、前記両車体フレーム１ａの後端部１ａ′を、前記キャッチャーボックス１４内に、その前端における受け入れ口１４ａ内から突出して、この後端部１ａ′に、前記キャッチャーボックス１４を、前記走行機体１における走行方向に対して直角方向に延びる支持軸１５にて、図１に実線で示すように、その受け入れ口１４ａが前記排出ダクト１３における後端口１３ａに向かう前向き姿勢と、図１に二点鎖線で示すように、その受け入れ口１４ａが下向きになる下向き姿勢とに自在に回動するように枢着して、このキャッチャーボックス１４を、前記操縦座席６の右側に配設した操作レバー１６にリンク機構１７を介して連結することにより、前記操作レバー１６を、図１に実線で示すように、下側の位置にしたとき前記キャッチャーボックス１４が前向き姿勢になり、前記操作レバー１６を、図１に二点鎖線で示すように上側の位置にしたとき前記キャッチャーボックス１４が下向き姿勢になるように構成する。
【００１９】
なお、前記キャッチャーボックス１４の全体は、その受け入れ口１４ａを除いて通気性の布帛又は網にて覆われている。
【００２０】
そして、前記排出ダクト１３における後端口１３ａの部分には、中空部材を前記排出ダクト１３の左右両側及び上側の三方を囲うように門型に折り曲げして成る枠部材１８が、前記両車体フレーム１ａに図示しないボルト等にて着脱可能に取付けるようにして配設され、この枠部材１８の内側には、前記排出ダクト１３における左右両側面との間の隙間を塞ぐ左右一対の板部材１９ａ，１９ｂ、及び前記排出ダクト１３における上面との間の隙間を塞ぐ板部材１９ｃが、図示しないボルトの締結等により着脱可能に取付けて、この各板部材１９ａ，１９ｂ，１９ｃに対して、前記キャッチャーボックス１４を前向き姿勢にしたときその受け入れ口１４ａにおける周囲の縁枠１４ａ′が、前記枠部材１８の内側において接当するように構成する。
【００２１】
一方、前記各板部材１９ａ，１９ｂ，１９ｃを、図６に示すように、前記枠部材１８における走行機体の前進方向の前側面に取付けることにより、前記排出ダクト１３における後端口１３ａよりも適宜寸法Ｓだけ前側に位置する。
【００２２】
また、前記フロントカウル７の後端を、前記枠部材１８に対して着脱可能に取付けるという構成にしている。
【００２３】
前記した構成にすることにより、キャッチャーボックス１４を、走行機体１における車体フレーム１ａにて直接支持することができる一方、前記キャッチャーボックス１４をその受け入れ口１４ａが排出ダクト１３に向かう前向き姿勢にしたとき当該受け入れ口１４ａの縁１４ａ′が接当する各板部材１９ａ，１９ｂ，１９ｃの周囲を、前記車体フレーム１ａに排出ダクト１３を囲うように取付けた門型の枠部材１８にて確実に補強することができる。
【００２４】
また、前記キャッチャーボックス１４を前向き姿勢にしたとき、前記排出ダクト１３における後端口１３ａが、前記キャッチャーボックス１４内に適宜寸法Ｓだけ突出することにより、刈り取った芝草を前記排出ダクト１３から前記キャッチャーボックス１４内に導くことが、芝草の外部への漏れだしを阻止した状態で円滑にできる。
【００２５】
更にまた、前記枠部材１８及び前記各板部材１９ａ，１９ｂ，１９ｃは着脱可能であるから、これらの組み立て及び分解が容易にできる。
【００２６】
前記した構成において、前記排出ダクト１３の左右両側における板部材１９ａ，１９ｂのうちいずれか一方、例えば、右側の板部材１９ｂには、前記キャッチャーボックス１４内に溜まる芝草量を検出するための芝草センサー２０を設けて、前記キャッチャーボックス１４内に芝草が所定量に溜まると、作業者にその旨を知らせるか、刈取作業を中止するか、或いは、前記キャッチャーボックス１４を下向きに姿勢にするように構成している。この芝草センサー２０は、前記排出ダクト１３における底面からこの排出ダクト１３の高さ寸法Ｈの半分までの高さ範囲内に設けることにより、芝草量の検出が確実にできるようにに構成され、且つ、その接触子２０ａは、その上面に芝草が堆積しないように下向きに構成されている。
【図面の簡単な説明】
【００２７】
【図１】走行型芝刈機の側面図である。
【図２】図１の平面図である。
【図３】図２のIII −III 視拡大断面図である。
【図４】図３のIV−IV視断面図である。
【図５】図３のＶ−Ｖ視断面図である。
【図６】図５のVI−VI視断面図である。
【符号の説明】
【００２８】
１                      走行機体
１ａ                    車体フレーム
２                      前車輪
３                      後車輪
４                      エンジン
５                      操縦ハンドル
６                      操縦座席
１０                    ロータリーモア
１４                    キャッチャーボックス
１４ａ                  受け入れ口
１４ａ′                縁枠
１５                    支持軸
１６                    操作レバー
１８                    枠部材
１９ａ，１９ｂ，１９ｃ  板部材
２０                    芝草センサー
【図１】
2005218304.tif 000003
【図２】
2005218304.tif 000004
【図３】
2005218304.tif 000005
【図４】
2005218304.tif 000006
【図５】
2005218304.tif 000007
【図６】
2005218304.tif 000008